(57)【要約】 【課題】  観察対象の手前に観察に不要な物体が存在する場合であっても、重い計算処理をせずに観察対象だけを４次元画像表示すること。【解決手段】  医用画像診断装置は、視点・視線方向設定部、描画開始面設定部、及び描画処理部を有する。視点・視線方向設定部は、医用画像データに対して視点、及び視線方向を設定する。描画開始面設定部は、前記視点から見て、前記医用画像データにおける非表示領域よりも遠方の所定の位置に設定された探索開始面から、前記視点へ近づく方向へ所定の要件を満たす領域を探索し、この探索の結果に基づいて描画開始面を算出する。描画処理部は、前記描画開始面から前記視線方向へ向けて描画処理を実施することで、表示画像データを作成する。【選択図】図８
2019141574.tif 000002
【特許請求の範囲】
【請求項１】
医用画像データに対して視点、及び視線方向を設定する視点・視線方向設定部と、
前記視点から見て、前記医用画像データにおける非表示領域よりも遠方の所定の位置に設定された探索開始面から、前記視点へ近づく方向へ所定の要件を満たす領域を探索し、この探索の結果に基づいて描画開始面を算出する描画開始面設定部と、
前記描画開始面から前記視線方向へ向けて描画処理を実施することで、表示画像データを作成する描画処理部と
を具備する医用画像診断装置。
【請求項２】
前記非表示領域は、胎児の手である請求項１記載の医用画像診断装置。
【請求項３】
前記探索開始面を設定する探索開始面設定部をさらに具備する請求項１又は２に記載の医用画像診断装置。
【請求項４】
前記探索開始面設定部は、断層画像から所定の構造を表す領域を抽出し、前記抽出した領域内の点を通る線に対応する断面を前記探索開始面として設定する請求項３記載の医用画像診断装置。
【請求項５】
前記医用画像データにおいて領域を設定する領域設定部をさらに具備し、
前記探索開始面設定部は、前記領域内を通過する探索開始面を設定する請求項３記載の医用画像診断装置。
【請求項６】
前記探索開始面設定部は、前記視点から見て、前記医用画像データにおける観察に不要な領域よりも遠方であり、前記領域内の、当該領域の前記視点から見て遠方の境界を越えない位置に前記探索開始面を設定する請求項５記載の医用画像診断装置。
【請求項７】
前記探索開始面設定部は、前記探索開始面を複数設定し、
前記描画開始面設定部は、前記視点に近い探索開始面から、前記所定の要件を満たす領域の探索を開始する請求項３乃至６のいずれかに記載の医用画像診断装置。
【請求項８】
前記探索開始面設定部は、異なる時相で設定された探索開始面を利用して、本時相の探索開始面を設定する請求項３乃至７のいずれかに記載の医用画像診断装置。
【請求項９】
前記描画開始面設定部は、異なる時相で算出された描画開始面を、本時相における描画開始面として利用する請求項１乃至８のいずれかに記載の医用画像診断装置。
【請求項１０】
表示領域を抽出する領域抽出部と、
前記抽出した表示領域に基づいて前記探索開始面を設定する探索開始面設定部と
をさらに具備する請求項１記載の医用画像診断装置。
【請求項１１】
前記描画開始面設定部は、所定のコントラストで、表示領域の不透明度を低く、非表示領域の不透明度を高く設定した第１オパシティカーブを利用して前記描画開始面を算出し、
前記描画処理部は、前記第１オパシティカーブよりも高コントラストで、表示領域の不透明度を高く、非表示領域の不透明度を低く設定した第２オパシティカーブを利用して前記描画処理を実施する請求項１乃至１０のいずれかに記載の医用画像診断装置。
【請求項１２】
前記描画処理部は、前記描画処理により作成した表示画像データに、前記探索開始面に該当する領域を合成させる請求項１乃至１１のいずれかに記載の医用画像診断装置。
【請求項１３】
前記描画処理部は、前記描画処理により作成した表示画像データに、前記描画開始面に該当する領域を合成させる請求項１乃至１２のいずれかに記載の医用画像診断装置。
【請求項１４】
前記描画処理部は、前記描画処理により作成した表示画像データに、この表示画像データと、前記視点から前記視線方向へ向けて描画処理を実施することで作成される表示画像データとの差分画像を合成させる請求項１乃至１３のいずれかに記載の医用画像診断装置。
【請求項１５】
前記描画処理部は、前記描画開始面を示すポリゴンを表示対象とする請求項１乃至１４のいずれかに記載の医用画像診断装置。
【請求項１６】
前記描画処理部は、前記描画処理の実施により表示対象となった前記医用画像データにおける領域を、断層画像上で識別可能に表示する請求項１乃至１５のいずれかに記載の医用画像診断装置。
【請求項１７】
前記描画開始面を利用した描画処理を適用させる前記医用画像データの範囲を編集する編集部をさらに具備する請求項１乃至１６のいずれかに記載の医用画像診断装置。
【請求項１８】
前記描画開始面又は前記表示画像データが適正であるか否かを判定する判定部をさらに具備する請求項１乃至１７のいずれかに記載の医用画像診断装置。
【請求項１９】
医用画像データに対して視点、及び視線方向を設定する視点・視線方向設定部と、
前記視点から見て、前記医用画像データにおける観察に不要な領域よりも遠方の所定の位置に設定された探索開始面から、前記視点へ近づく方向へ所定の要件を満たす領域を探索し、この探索の結果に基づいて描画開始面を算出する描画開始面設定部と、
前記描画開始面から前記視線方向へ向けて描画処理を実施することで、表示画像データを作成する描画処理部と
を具備する医用画像処理装置。
【請求項２０】
医用画像データに対して視点、及び視線方向を設定する処理と、
前記視点から見て、前記医用画像データにおける観察に不要な領域よりも遠方の所定の位置に設定された探索開始面から、前記視点へ近づく方向へ所定の要件を満たす領域を探索し、前記探索の結果に基づいて描画開始面を算出する処理と、
前記描画開始面から前記視線方向へ向けて描画処理を実施することで、表示画像データを作成する処理と
をプロセッサに実行させる画像処理プログラム。
【発明の詳細な説明】
【技術分野】
【０００１】
本発明の実施形態は、医用画像診断装置、医用画像処理装置、及び画像処理プログラムに関する。
【背景技術】
【０００２】
患者の患部を観察する手法に、例えば、超音波診断装置による４次元画像表示がある。４次元画像表示では、超音波画像内に設定した再構成領域を４次元再構成する。そして、再構成したデータを、レイキャスティング等の投影手法によりスクリーンに投影することで患部の３次元形態情報を時相画像として可視化する。この手法によれば、観察対象を、２次元画像と比較して明瞭に確認できる。このことは、例えば、出産前に胎児の体及び顔等を確認したい妊婦に対し、特に大きな利点がある。
【０００３】
しかしながら、従来の４次元画像表示手法では、観察対象の手前に観察に不要な物体が存在すると、観察対象が隠れてしまう。既存の領域抽出アルゴリズム等により、不要な物体の領域を削除することは可能ではあるが、処理が重くなりリアルタイム性が損なわれるおそれがある。
【先行技術文献】
【特許文献】
【０００４】
【特許文献１】特開２０１２−２３９５７６号公報
【発明の概要】
【発明が解決しようとする課題】
【０００５】
発明が解決しようとする課題は、観察対象の手前に観察に不要な物体が存在する場合であっても、重い計算処理をせずに観察対象だけを４次元画像表示することである。
【課題を解決するための手段】
【０００６】
実施形態によれば、医用画像診断装置は、視点・視線方向設定部、描画開始面設定部、及び描画処理部を有する。視点・視線方向設定部は、医用画像データに対して視点、及び視線方向を設定する。描画開始面設定部は、前記視点から見て、前記医用画像データにおける非表示領域よりも遠方の所定の位置に設定された探索開始面から、前記視点へ近づく方向へ所定の要件を満たす領域を探索し、この探索の結果に基づいて描画開始面を算出する。描画処理部は、前記描画開始面から前記視線方向へ向けて描画処理を実施することで、表示画像データを作成する。
【図面の簡単な説明】
【０００７】
【図１】図１は、第１の実施形態に係る医用画像診断装置の構成を示すブロック図である。
【図２】図２は、図１に示される画像処理回路がレンダリング画像データを作成する際の動作を表すフローチャートである。
【図３】図３は、図１に示される表示機器に表示される断層画像に対して指定されるＲＯＩ領域を表す図である。
【図４】図４は、再構成領域を構成する面の一部を利用して設定される探索開始面を表す図である。
【図５】図５は、頭部内の点を通って設定される探索開始面を表す図である。
【図６】図６は、視線方向と平行な方向に設定され、視点に近づく向きを順方向とする探索軸を表す図である。
【図７】図７は、胎児の頭部内の点から鼻へ向かう方向に設定され、視点に近づく向きを順方向とする探索軸を表す図である。
【図８】図８は、探索開始面からの探索軸Ａ１に沿った探索により得られる描画開始面を表す図である。
【図９】図９は、胎児領域を表示領域とし、羊水領域を非表示領域としたオパシティカーブを表す図である。
【図１０】図１０は、図９に示されるオパシティカーブを反転させたオパシティカーブを表す図である。
【図１１】図１１は、探索開始面が複数設定されている場合に算出される描画開始面を表す図である。
【図１２】図１２は、描画開始面から視線方向に沿って実施するレンダリング処理を表す図である。
【図１３】図１３は、胎児の顔領域を表示領域とし、腕領域を非表示領域とするレンダリング画像データを表す図である。
【図１４】図１４は、腕領域を非表示領域として除外した際の表示例を表す図である。
【図１５】図１５は、描画される領域の表面を、描画されない領域と識別可能に着色した断層画像を表す図である。
【図１６】図１６は、描画される領域の範囲を、描画されない領域と識別可能に着色した断層画像を表す図である。
【図１７】図１７は、非表示となった腕領域が重畳される際の表示例を表す図である。
【図１８】図１８は、断層画像上で設定される編集用ＲＯＩを表す図である。
【図１９】図１９は、図１に示される画像処理回路がレンダリング画像データを作成する際の動作のその他の例を表すフローチャートである。
【図２０】図２０は、探索開始面Ｓ１（１）からの探索に基づいて算出される描画開始面Ｓ２（１）を表す図である。
【図２１】図２１は、描画開始面Ｓ２（１）に基づいて設定される探索開始面Ｓ１（２）を表す図である。
【図２２】図２２は、探索開始面Ｓ１（２）からの探索に基づいて算出される描画開始面Ｓ２（２）を表す図である。
【図２３】図２３は、胃を含む医用画像に対して設定される再構成領域を表す図である。
【図２４】図２４は、図２３で設定した再構成領域内における表示領域を模式的に表す図である。
【図２５】図２５は、図２３で設定した再構成領域内における表示領域を模式的に表す図である。
【図２６】図２６は、第２の実施形態に係る医用画像処理装置を含む医用情報システムの例を表す図である。
【発明を実施するための形態】
【０００８】
以下、実施の形態について、図面を参照して説明する。
【０００９】
（第１の実施形態）  
図１は、第１の実施形態に係る医用画像診断装置の構成例を示すブロック図である。なお、図１では、医用画像診断装置の一例として超音波診断装置１を説明する。図１に示されるように、超音波診断装置１は、装置本体１０、及び超音波プローブ２０を備える。装置本体１０は、ネットワーク１００を介して外部装置３０と接続される。また、装置本体１０は、表示機器４０及び入力装置５０と接続される。
【００１０】
超音波プローブ２０は、複数の圧電振動子、圧電振動子に設けられる整合層、及び圧電振動子から後方への超音波の伝播を防止するバッキング材等を有する。超音波プローブ２０は、装置本体１０と着脱自在に接続される。複数の圧電振動子は、装置本体１０が有する超音波送信回路１１から供給される駆動信号に基づき超音波を発生する。また、超音波プローブ２０には、オフセット処理、及び超音波画像のフリーズ等の際に押下されるボタンが配置されてもよい。
【００１１】
超音波プローブ２０から生体Ｐに超音波が送信されると、送信された超音波は、生体Ｐの体内組織における音響インピーダンスの不連続面で次々と反射され、反射波信号として超音波プローブ２０が有する複数の圧電振動子にて受信される。受信される反射波信号の振幅は、超音波が反射される不連続面における音響インピーダンスの差に依存する。また、送信された超音波パルスが、移動している血流又は心臓壁等の表面で反射された場合の反射波信号は、ドプラ効果により、移動体の超音波送信方向の速度成分に依存して、周波数偏移を受ける。超音波プローブ２０は、生体Ｐからの反射波信号を受信して電気信号に変換する。
【００１２】
本実施形態においては、超音波プローブ２０は、例えば、複数の超音波振動子が所定の方向に沿って配列された一次元アレイプローブであるとする。しかしながら、当該例に拘泥されず、超音波プローブ２０は、ボリュームデータを取得可能なものとして、二次元アレイプローブ（複数の超音波振動子が二次元マトリックス状に配列されたプローブ）、又はメカニカル４Ｄプローブ（超音波振動子列をその配列方向と直交する方向に機械的に煽りながら超音波走査を実行可能なプローブ）であってもよい。
【００１３】
なお、図１においては、撮影に用いられる超音波プローブ２０と装置本体１０との接続関係のみを例示している。しかしながら、装置本体１０には、複数の超音波プローブを接続することが可能である。接続された複数の超音波プローブのうちいずれを撮影に使用するかは、切り替え操作によって任意に選択することができる。
【００１４】
図１に示される装置本体１０は、超音波プローブ２０により受信された反射波信号に基づいて超音波画像を生成する装置である。装置本体１０は、図１に示されるように、超音波送信回路１１、超音波受信回路１２、Ｂモード処理回路１３、ドプラ処理回路１４、３次元データ発生回路１５、画像処理回路１６、表示処理回路１７、内部記憶回路１８、画像メモリ１９（シネメモリ）、入力インタフェース１１１、通信インタフェース１１２、及び制御回路１１３を有する。
【００１５】
超音波送信回路１１は、超音波プローブ２０に駆動信号を供給するプロセッサである。超音波送信回路１１は、例えば、トリガ発生回路、遅延回路、及びパルサ回路等により実現される。トリガ発生回路は、所定のレート周波数で、送信超音波を形成するためのレートパルスを繰り返し発生する。遅延回路は、超音波プローブ２０から発生される超音波をビーム状に集束して送信指向性を決定するために必要な圧電振動子毎の遅延時間を、トリガ発生回路が発生する各レートパルスに対し与える。パルサ回路は、レートパルスに基づくタイミングで、超音波プローブ２０に設けられる複数の超音波振動子へ駆動信号（駆動パルス）を印加する。遅延回路により各レートパルスに対し与える遅延時間を変化させることで、圧電振動子面からの送信方向が任意に調整可能となる。
【００１６】
超音波受信回路１２は、超音波プローブ２０が受信した反射波信号に対して各種処理を施し、受信信号を生成するプロセッサである。超音波受信回路１２は、例えば、アンプ回路、Ａ／Ｄ変換器、受信遅延回路、及び加算器等により実現される。アンプ回路は、超音波プローブ２０が受信した反射波信号をチャンネル毎に増幅してゲイン補正処理を行う。Ａ／Ｄ変換器は、ゲイン補正された反射波信号をデジタル信号に変換する。受信遅延回路は、デジタル信号に受信指向性を決定するのに必要な遅延時間を与える。加算器は、遅延時間が与えられた複数のデジタル信号を加算する。加算器の加算処理により、受信指向性に応じた方向からの反射成分が強調された受信信号が発生する。
【００１７】
Ｂモード処理回路１３は、超音波受信回路１２から受け取った受信信号に基づき、Ｂモードデータを生成するプロセッサである。Ｂモード処理回路１３は、超音波受信回路１２から受け取った受信信号に対して包絡線検波処理、及び対数増幅処理等を施し、信号強度が輝度の明るさで表現されるデータ（Ｂモードデータ）を生成する。生成されたＢモードデータは、２次元的な超音波走査線上のＢモードＲＡＷデータとして不図示のＲＡＷデータメモリに記憶される。
【００１８】
ドプラ処理回路１４は、超音波受信回路１２から受け取った受信信号に基づき、ドプラ波形、及びドプラデータを生成するプロセッサである。ドプラ処理回路１４は、受信信号から血流信号を抽出し、抽出した血流信号からドプラ波形を生成すると共に、血流信号から平均速度、分散、及びパワー等の情報を多点について抽出したデータ（ドプラデータ）を生成する。生成されたドプラデータは、２次元的な超音波走査線上のドプラＲＡＷデータとして不図示のＲＡＷデータメモリに記憶される。
【００１９】
３次元データ発生回路１５は、Ｂモード処理回路１３、及びドプラ処理回路１４により生成されたデータに基づき、３次元画像データを生成するプロセッサである。３次元データ発生回路１５は、例えば、ＲＡＷデータメモリに記憶されたＢモードＲＡＷデータに対してＲＡＷ−ピクセル変換を実行することで、ピクセルから構成される２次元画像データを生成する。
【００２０】
また、３次元データ発生回路１５は、ＲＡＷデータメモリに記憶されたＢモードＲＡＷデータに対し、空間的な位置情報を加味した補間処理を含むＲＡＷ−ボクセル変換を実行することで、所望の範囲のボクセルから構成される３次元の画像データ（以下、ボリュームデータと称する。）を生成する。
【００２１】
画像処理回路１６は、２次元画像データ又はボリュームデータに対し、所定の画像処理を施すプロセッサである。所定の画像処理には、例えば、ボリュームレンダリング、サーフェスレンダリング、多断面変換処理（ＭＰＲ：Multi Planar Reconstruction）、及び最大値投影処理（ＭＩＰ：Maximum Intensity Projection）等が含まれる。また、画像処理回路１６は、ノイズ低減や画像の繋がりを良くすることを目的として、画像処理の後に二次元的なフィルタを挿入し、空間的なスムージングを行う。
【００２２】
また、画像処理回路１６は、観察対象となる領域を遮る、観察に不要な領域を除去したレンダリング処理を実施する。具体的には、例えば、画像処理回路１６は、内部記憶回路１８に記憶されている画像処理プログラムを実行することで、当該プログラムに対応する機能を実現する。画像処理回路１６は、例えば、再構成領域設定機能１６１、視点・視線方向設定機能１６２、探索開始面設定機能１６３、探索軸設定機能１６４、描画開始面設定機能１６５、及び描画処理機能１６６を有する。
【００２３】
再構成領域設定機能１６１は、再構成領域を設定する機能であり、領域設定部の一例である。本実施形態において、例えば、再構成領域は、生成されたボリュームデータを３次元的又は４次元的に観察可能な２次元画像へ変換する際に処理の対象となる領域を表す。具体的には、例えば、再構成領域設定機能１６１において画像処理回路１６は、表示機器４０に表示される、２次元画像データに基づいて作成される断層画像に対するＲＯＩ領域についての操作者からの指定を受け付ける。画像処理回路１６は、指定されたＲＯＩ領域に基づき、３次元領域としての再構成領域を設定する。
【００２４】
なお、画像処理回路１６は、例えば、パターン認識等の既存の領域抽出アルゴリズムを用いて抽出した領域を含む３次元領域を、再構成領域として自動で設定してもよい。また、画像処理回路１６は、ボリュームデータの一部ではなく、ボリュームデータ全体を再構成領域として設定しても構わない。
【００２５】
視点・視線方向設定機能１６２は、３次元画像又は４次元画像を観察する位置を表す視点、及び観察する方向を表す視線方向を設定する機能であり、視点・視線方向設定部の一例である。具体的には、例えば、視点・視線方向設定機能１６２において画像処理回路１６は、３次元画像又は４次元画像を観察する際の視点及び視線方向の指定を受け付ける。画像処理回路１６は、指定された視点及び視線方向を設定する。なお、本実施形態において、視線方向は、視点から遠ざかる方向を順方向とする。
【００２６】
視点及び視線方向は、例えば、ボリュームデータを３次元的又は４次元的に観察可能な２次元画像へ変換する際の既存の手順と同様の手順で設定されても構わない。
【００２７】
探索開始面設定機能１６３は、再構成領域についての探索を開始するボクセルの集合としての探索開始面を設定する機能であり、探索開始面設定部の一例である。探索開始面は、再構成領域内において物性が異なる領域間の境界を、視点に対して逆側から探索する際に用いられる。具体的には、例えば、探索開始面設定機能１６３において画像処理回路１６は、設定された視点側から見て、除去したい領域より遠方の観察対象となる領域を通過する位置に探索開始面を設定する。
【００２８】
探索軸設定機能１６４は、探索開始面上のボクセルから再構成領域における境界を探索する際の探索方向を表す探索軸を設定する機能であり、探索軸設定部の一例である。具体的には、例えば、探索軸設定機能１６４において画像処理回路１６は、視線方向、及び探索開始面等に基づいて探索軸を設定する。なお、本実施形態において、探索軸は、視点に近づく向きを順方向とする。
【００２９】
描画開始面設定機能１６５は、ボリュームデータにおいて、レンダリング処理を開始するボクセルの集合としての描画開始面を算出する機能であり、描画開始面設定部の一例である。具体的には、例えば、描画開始面設定機能１６５において画像処理回路１６は、探索開始面からの探索により得られた結果に基づいて描画開始面を算出する。
【００３０】
描画処理機能１６６は、ボリュームデータを２次元画像に投影したレンダリング画像データを作成する機能であり、描画処理部の一例である。具体的には、例えば、描画処理機能１６６において画像処理回路１６は、描画開始面から視線方向へ向けてボリュームデータのレンダリング処理を実施することで、表示画像データとして、レンダリング画像データを作成する。
【００３１】
図１に示される表示処理回路１７は、画像処理回路１６で生成・処理された各種画像データをビデオ信号へ変換するプロセッサである。具体的には、表示処理回路１７は、画像処理回路１６で生成・処理された各種画像データに対し、ダイナミックレンジ、輝度（ブライトネス）、コントラスト、γカーブ補正、及びＲＧＢ変換等の各種処理を実行することで、画像データをビデオ信号に変換する。表示処理回路１７は、ビデオ信号を表示機器４０に表示させる。なお、表示処理回路１７は、操作者が入力インタフェース１１１により各種指示を入力するためのユーザインタフェース（ＧＵＩ：Graphical User Interface）を生成し、ＧＵＩを表示機器４０に表示させてもよい。表示機器４０としては、例えば、ＣＲＴディスプレイや液晶ディスプレイ、有機ＥＬディスプレイ、ＬＥＤディスプレイ、プラズマディスプレイ、又は当技術分野で知られている他の任意のディスプレイが適宜利用可能である。
【００３２】
内部記憶回路１８は、例えば、磁気的若しくは光学的記録媒体、又は半導体メモリ等のプロセッサにより読み取り可能な記録媒体等を有する。内部記憶回路１８は、超音波送受信を実現するためのプログラム、画像処理を行うためのプログラム、表示処理を行なうためのプログラム、及び超音波プローブ２０の感度を管理するためのプログラム等を記憶している。また、内部記憶回路１８は、診断情報（例えば、患者ＩＤ、医師の所見等）、診断プロトコル、送信条件、受信条件、信号処理条件、画像生成条件、画像処理条件、ボディマーク生成プログラム、表示条件、及び映像化に用いるカラーデータの範囲を診断部位毎に予め設定する変換テーブル等のデータ群を記憶している。なお、上記プログラム、及びデータ群は、例えば、内部記憶回路１８に予め記憶されていてもよい。また、例えば、非一過性の記憶媒体に記憶されて配布され、非一過性の記憶媒体から読み出されて内部記憶回路１８にインストールされてもよい。
【００３３】
また、内部記憶回路１８は、入力インタフェース１１１を介して入力される記憶操作に従い、３次元データ発生回路１５で発生された２次元画像データ及びボリュームデータ、並びに、画像処理回路１６で生成・処理された画像データを記憶する。内部記憶回路１８は、記憶しているデータを、通信インタフェース１１２を介して外部装置３０へ転送することも可能である。
【００３４】
また、内部記憶回路１８は、ＣＤ−ＲＯＭドライブ、ＤＶＤドライブ、及びフラッシュメモリ等の可搬性記憶媒体との間で種々の情報を読み書きする駆動装置等であってもよい。内部記憶回路１８は、記憶しているデータを可搬性記憶媒体へ書き込み、可搬性記憶媒体を介してデータを外部装置３０に記憶させることも可能である。
【００３５】
画像メモリ１９は、例えば、磁気的若しくは光学的記録媒体、又は半導体メモリ等のプロセッサにより読み取り可能な記録媒体等を有する。画像メモリ１９は、入力インタフェース１１１を介して入力されるフリーズ操作直前の複数フレームに対応する画像データを保存する。画像メモリ１９に記憶されている画像データは、例えば、連続表示（シネ表示）される。
【００３６】
内部記憶回路１８及び画像メモリ１９は、必ずしもそれぞれが独立した記憶装置により実現される訳ではない。内部記憶回路１８及び画像メモリ１９は単一の記憶装置により実現されても構わない。また、内部記憶回路１８及び画像メモリ１９は、それぞれが複数の記憶装置により実現されても構わない。
【００３７】
入力インタフェース１１１は、入力装置５０を介して、ユーザからの各種指示を受け付ける。入力装置５０は、例えば、マウス、キーボード、パネルスイッチ、スライダースイッチ、トラックボール、ロータリーエンコーダ、操作パネル、及びタッチコマンドスクリーン（ＴＣＳ）である。入力インタフェース１１１は、例えばバスを介して制御回路１１３に接続され、操作者から入力される操作指示を電気信号へ変換し、電気信号を制御回路１１３へ出力する。なお、本実施形態において入力インタフェース１１１は、マウス及びキーボード等の物理的な操作部品と接続するものだけに限られない。例えば、超音波診断装置１とは別体に設けられた外部の入力機器から入力される操作指示に対応する電気信号を受け取り、この電気信号を制御回路１１３へ出力する処理回路も入力インタフェース１１１の例に含まれる。
【００３８】
通信インタフェース１１２は、ネットワーク１００等を介して外部装置３０と接続され、外部装置３０との間でデータ通信を行う。外部装置３０は、例えば、各種の医用画像のデータを管理するシステムであるＰＡＣＳ（Picture Archiving and  Communication System）、医用画像が添付された電子カルテを管理する電子カルテシステム等のデータベースである。また、外部装置３０は、例えば、Ｘ線ＣＴ（Computed Tomography）装置、及びＭＲＩ（Magnetic Resonance Imaging）装置、核医学診断装置、及びＸ線診断装置等、本実施形態に係る超音波診断装置１以外の各種医用画像診断装置であっても構わない。なお、外部装置３０との通信の規格は、如何なる規格であっても良いが、例えば、ＤＩＣＯＭ（digital imaging and communication in medicine）が挙げられる。
【００３９】
制御回路１１３は、例えば、超音波診断装置１の中枢として機能するプロセッサである。制御回路１１３は、内部記憶回路１８に記憶されている制御プログラムを実行することで、当該プログラムに対応する機能を実現する。
【００４０】
次に、以上のように構成された超音波診断装置１が、観察対象を３次元的又は４次元的に観察できる２次元画像を作成する際の動作を説明する。なお、以下では、観察対象が胎児である場合を例に説明する。
【００４１】
例えば、操作者が、超音波プローブ２０を用い、体内に胎児のいる妊婦の超音波検査を実施しているとする。超音波プローブ２０から妊婦へ送信された超音波は、妊婦の体内組織における音響インピーダンスの不連続面で次々と反射され、反射波信号として超音波プローブ２０で受信される。超音波受信回路１２は、超音波プローブ２０が受信した反射波信号に対して各種処理を施し、受信信号を生成する。
【００４２】
Ｂモード処理回路１３は、超音波受信回路１２から受け取った受信信号に基づき、２次元的な超音波走査線上のＢモードＲＡＷデータを生成する。３次元データ発生回路１５は、Ｂモード処理回路１３により生成された２次元的なＢモードＲＡＷデータに対してＲＡＷ−ピクセル変換を実行することで、２次元画像データを発生する。発生した２次元画像データは、画像処理回路１６での画像処理、及び表示処理回路１７での変換処理を経て、断層画像として表示機器４０に表示される。
【００４３】
操作者は、例えば、胎児の顔を確認したい場合、胎児の顔が表示機器４０に表示される断層画像に含まれるように超音波プローブ２０を操作する。操作者は、所望の領域を含む断層画像が表示されると、入力インタフェース１１１を介し、胎児の腕、へその緒、及び胎盤等、観察に不要な領域を削除した４次元画像表示を実行する旨の指示を入力する。当該指示が入力されると、画像処理回路１６は、観察対象となる領域を遮る、観察に不要な領域を除去したレンダリング処理を実施するための画像処理プログラムを内部記憶回路１８から読み出し、読み出したプログラムを実行する。
【００４４】
図２は、図１に示される画像処理回路１６が観察対象となる領域を遮る、観察に不要な領域を除去したレンダリング画像データを作成する際の動作の例を表すフローチャートである。
【００４５】
画像処理プログラムが実行されると、例えば、まず、再構成領域設定機能１６１が実現される。再構成領域設定機能１６１において画像処理回路１６は、入力インタフェース１１１を介し、表示機器４０に表示される断層画像に対するＲＯＩ領域についての操作者からの指定を受け付ける。図３は、表示機器４０に表示される断層画像に対して指定されるＲＯＩ領域Ｒ１の例を表す図である。図３によれば、胎児の顔を含む領域に矩形状のＲＯＩ領域Ｒ１が指定される。画像処理回路１６は、指定されたＲＯＩ領域Ｒ１に基づき、ボリュームデータにおける再構成領域を設定する（ステップＳ２１）。なお、ＲＯＩ領域は、断層画像上に操作者が手動で描画する任意の曲線により表されても構わない。
【００４６】
なお、画像処理回路１６は、例えば、パターン認識等の既存の領域抽出アルゴリズムを用いて抽出した顔領域を含む３次元領域を、再構成領域として自動で設定してもよい。
【００４７】
再構成領域を設定すると、画像処理回路１６は、視点・視線方向設定機能１６２を実行する。視点・視線方向設定機能１６２を実行すると画像処理回路１６は、既存のレンダリング処理で実施される手順と同様の手順で、３次元画像又は４次元画像を観察する際の視点及び視線方向を設定する（ステップＳ２２）。例えば、画像処理回路１６は、入力インタフェース１１１を介して操作者から入力される、視点の座標、及び視線方向の指定に基づき、視点及び視線方向を設定する。このとき、画像処理回路１６は、視点から遠ざかる方向を順方向として視線方向を設定する。なお、画像処理回路１６は、超音波ビームが照射される方向と同じ方向に、視線方向を自動的に設定してもよい。
【００４８】
視点及び視線方向を設定すると、画像処理回路１６は、探索開始面設定機能１６３を実行する。探索開始面設定機能１６３を実行すると画像処理回路１６は、設定した視点側から見て、非表示としたい腕、へその緒、及び胎盤等の領域より遠い位置に探索開始面を設定する（ステップＳ２３）。このとき、探索開始面は、表示対象としたい胎児領域の一部を通過してもよい。
【００４９】
具体的には、画像処理回路１６は、例えば、再構成領域を構成する面の一部を探索開始面として設定する。図４は、再構成領域を構成する面の一部を利用して設定される探索開始面Ｓ１の例を表す図である。図４によれば、再構成領域と対応するＲＯＩ領域Ｒ１の４辺のうち、視点から最も遠い１辺に対応する断面を探索開始面Ｓ１としている。なお、ＲＯＩ領域Ｒ１が手動で入力される曲線により表される場合、画像処理回路１６は、このＲＯＩ領域Ｒ１により設定される再構成領域を構成する曲面の一部を利用して探索開始面Ｓ１を設定してもよい。
【００５０】
また、探索開始面は、再構成領域を構成する面の一部を利用するものに限定されない。画像処理回路１６は、例えば、生体内の所定の構造に基づき、探索開始面を設定しても構わない。例えば、画像処理回路１６は、断層画像に対してパターン認識等の既存の領域抽出アルゴリズムを実行し、生体内の構造として、胎児の頭部を表す領域を抽出する。そして、画像処理回路１６は、抽出した頭部領域内の点を通る直線に対応する断面を探索開始面として設定してもよい。
【００５１】
より具体的には、画像処理回路１６は、例えば、胎児の頭部内の点を通り、視線方向と直交する直線に対応する断面を探索開始面としてもよい。図５は、頭部内の点Ｐ１を通り、視線方向と直交する直線を利用して設定される探索開始面Ｓ１の例を表す図である。図５によれば、例えば、胎児の頭部全体を含むように指定されたＲＯＩ領域Ｒ１において胎児の頭部領域が抽出され、抽出された頭部領域内の点Ｐ１を利用して探索開始面Ｓ１が設定されている。
【００５２】
また、画像処理回路１６は、探索開始面を複数設定しても構わない。例えば、ボリュームデータを２次元画像に投影する際に視線方向が探索開始面を通過しない場合は、再構成領域を構成する面のうち視点から遠い面を探索開始面として追加してもよい。  
また、画像処理回路１６は、別の時相で設定した探索開始面を用いて、他の時相の探索開始面を設定してもよい。例えば、画像処理回路１６は、一つ前の時相で設定された探索開始面上の各ボクセルを、この時相で算出される描画開始面上の各ボクセルに、探索軸方向に沿って近づけたボクセルの集合を、次の時相の探索開始面として設定してもよい。
【００５３】
探索開始面を設定すると、画像処理回路１６は、探索軸設定機能１６４を実行する。探索軸設定機能１６４を実行すると画像処理回路１６は、探索軸を設定する（ステップＳ２４）。具体的には、画像処理回路１６は、例えば、視線方向と平行な方向に設定され、視点に近づく向きを順方向とする探索軸を設定する。図６は、視線方向と平行な方向に設定され、視点に近づく向きを順方向とする探索軸Ａ１の例を表す図である。
【００５４】
なお、探索軸は、視線方向と平行でなくても構わない。例えば、画像処理回路１６は、探索開始面の法線方向に探索軸を設定しても構わない。  
また、画像処理回路１６は、観察対象から見た正面方向に探索軸を設定しても構わない。正面方向は、例えば、既存の顔認識アルゴリズム等で検出した顔の正面方向であってもよい。具体的には、画像処理回路１６は、例えば、胎児の頭部内の点から鼻へ向かう方向を探索軸として自動的に設定する。図７は、胎児の頭部内の点Ｐ１から鼻へ向かう方向に設定され、視点に近づく向きを順方向とする探索軸Ａ１の例を表す図である。
【００５５】
探索軸を設定すると、画像処理回路１６は、描画開始面設定機能１６５を実行する。描画開始面設定機能１６５を実行すると画像処理回路１６は、探索開始面からの探索軸に沿った探索により得られる胎児領域と羊水領域との境界に基づき描画開始面を算出する（ステップＳ２５）。図８は、探索開始面Ｓ１からの探索軸Ａ１に沿った探索により得られる境界面に基づいて算出される描画開始面Ｓ２の例を表す図である。
【００５６】
画像処理回路１６は、例えば、以下の処理により描画開始面を算出する。例えば、画像処理回路１６は、胎児領域を表示領域とし、羊水領域を非表示領域とするオパシティカーブの透明度を反転させたオパシティカーブを記憶している。図９は、胎児領域を表示領域、すなわち不透明度を高くし、羊水領域を非表示領域、すなわち不透明度を低くしたオパシティカーブの例を表す図である。また、図９に示されるオパシティカーブは、ボクセルの輝度に対する胎児領域の発生度数を表すヒストグラムに基づき、胎児領域が発生し得る輝度値から所定のコントラストで不透明度を上げるように設定されている。一方、図１０は、図９に示されるオパシティカーブを反転させたオパシティカーブの例を表す図である。すなわち、図１０では、胎児領域では不透明度を低くし、羊水領域では不透明度を高くしている。画像処理回路１６は、図１０に示されるオパシティカーブを用い、探索開始面から探索軸に沿ってレイキャスティングした際にレイの透過率が０となるボクセルの集合を描画開始面として算出する。
【００５７】
なお、描画開始面の算出方法は、上記に限定されない。画像処理回路１６は、任意の既存アルゴリズムを用いて胎児領域と羊水領域との境界又は境界近傍の領域を取得し、取得した境界又は境界近傍の領域に基づいて描画開始面を算出してもよい。具体的には、例えば、画像処理回路１６は、観察対象を表示領域とし、非観察対象を非表示領域とする。画像処理回路１６は、探索開始面から探索軸に沿って探索した際に最初に非表示領域に到達したボクセルの集合を描画開始面として算出する。
【００５８】
また、画像処理回路１６は、胎児領域を示す輝度値（ボクセル値）から羊水領域を示す輝度値までの間の値を閾値として有し、探索開始面から探索軸に沿って探索した際に最初に閾値を超える、又は下回るボクセルの集合を描画開始面として算出してもよい。
【００５９】
また、探索軸に沿って両領域間の境界を探索する場合、胎児領域から羊水領域へと推移する領域ではボリュームデータにおけるボクセル値の変化量が大きくなるはずである。画像処理回路１６は、ボクセル値の変化量が一定の閾値を超えるボクセルの集合を描画開始面として算出してもよい。
【００６０】
ステップＳ２３において、探索開始面が複数設定されている場合、画像処理回路１６は、設定されている視点により近い側の探索開始面上のボクセルから、境界領域の探索を開始する。図１１は、探索開始面が複数設定されている場合に算出される描画開始面Ｓ２の例を表す図である。図１１では、探索開始面Ｓ１−１，Ｓ１−２が設定され、視点が図１１における右上に設定され、探索軸が視線方向と平行に設定されている場合を例に示している。このとき、探索開始面Ｓ１−１のうち、視点に近い太実線の領域上のボクセルから探索が開始され、探索開始面Ｓ１−２のうち、視点に近い太実線の領域上のボクセルから探索が開始される。また図１１では、探索開始面Ｓ１−１、Ｓ１−２の他に、視線方向が探索開始面を通過しない領域に対して、再構成領域を構成する面のうち視点から遠い面を探索開始面としている。
【００６１】
画像処理回路１６がサーフェスレンダリングを実施する場合、画像処理回路１６は、探索開始面の各ボクセルから探索軸に沿って探索軸の順方向に探索した際に最も近いポリゴンを描画開始面としてもよい。
【００６２】
なお、描画開始面の算出において、用いられるボリュームデータは３次元データ発生回路１５で生成されたものでもよいし、画像処理回路１６により、スムージング、微分フィルタ（エッジ抽出）、及び膨張処理等の画像処理が実行されたものであってもよい。超音波画像によっては、羊水の超音波信号と胎児の脳組織の超音波信号とを分別しにくい場合がある。スムージング、微分フィルタ、及び膨張処理等の画像処理を実行したボリュームデータを用いることで、羊水と胎児の脳組織とを分別しやすくなる場合がある。
【００６３】
画像処理回路１６は、必ずしも描画開始面を算出する必要はない。例えば、画像処理回路１６は、前の時相で算出した描画開始面を本時相においても利用してもよい。描画開始面を算出する時相は、任意であってもよいし、所定の周期で再計算されても構わない。
【００６４】
なお、上記では描画開始面を算出する際、胎児領域と羊水領域との境界又は境界近傍の領域を取得する場合を例に説明した。しかしながら、必ずしも羊水を対象にする必要はない。例えば、画像処理回路１６は、胎児領域を示すボクセル値の範囲を設定する。画像処理回路１６は、この範囲を外れるボクセル値を有するボクセルを、探索開始面から探索軸に沿って探索する。そして、画像処理回路１６は、ボクセル値がこの範囲外となる最初のボクセルの集合を描画開始面として算出してもよい。この場合、描画開始面として算出されたボクセルは、必ずしも胎児領域と羊水領域との境界とは限らず、胎児領域と胎児領域と異なる領域との境界となり得る。
【００６５】
また、描画開始面の算出において、上記ではボリュームデータを４次元画像表示するに当たり、リアルタイム性を損なわない処理を用いた手法について述べたが、操作者がリアルタイム性を重視しない、又は、既存の領域抽出アルゴリズムがリアルタイム性を損なわないのであれば、既存の領域抽出アルゴリズムで羊水領域を抽出した後、探索開始面から探索軸に沿って探索した際に最初に到達する点を描画開始面として算出してもよい。このとき、画像処理回路１６は、既存の領域抽出アルゴリズムを用いて抽出した任意の連続領域を非表示領域としても構わない。
【００６６】
描画開始面を算出すると、画像処理回路１６は、描画処理機能１６６を実行する。描画処理機能１６６を実行すると画像処理回路１６は、描画開始面から視線方向に沿ってボリュームデータのレンダリング処理を実施することで、レンダリング画像データを作成する（ステップＳ２６）。
【００６７】
具体的には、画像処理回路１６は、胎児領域を表示領域とし、羊水領域を非表示領域とする、例えば、図９に示される一般的なオパシティカーブを用い、描画開始面から視線方向に沿ってボリュームデータをレンダリングすることで、観察対象となる胎児領域のレンダリング画像データを作成する。図１２は、描画開始面から視線方向に沿って実施する、ボリュームデータのレンダリング処理の例を表す図である。この処理により、例えば、図１３に示されるように、胎児の顔領域を表示領域とし、腕領域を非表示領域とするレンダリング画像データが作成される。
【００６８】
なお、このレンダリング処理において使用するオパシティカーブは、図９で示されるオパシティカーブと異なっていても構わない。例えば、描画開始面を算出する際に用いるオパシティカーブは、レンダリング処理で用いるオパシティカーブよりも低コントラストであってもよい。描画開始面の算出において、低コントラストのオパシティカーブを用いることで、描画開始面が胎児内部に設定されるのを抑制し、羊水領域内に設定しやすくなる。
【００６９】
画像処理回路１６により作成されたレンダリング画像データは、表示処理回路１７によりビデオ信号に変換され、表示機器４０に表示される。これにより、例えば、図１４に示されるように、腕等の不要な領域を除外しつつ、胎児の顔を、３次元的又は４次元的に観察可能な２次元画像として、表示機器４０に表示させることが可能となる。
【００７０】
操作者は、表示機器４０に表示される画像を確認した後、必要に応じてステップＳ２３で設定された探索開始面の位置、及び設定方法を変更してもよい。例えば、表示機器４０に表示される画像において、操作者が表示したい領域が、本実施形態に係る処理の適用により非表示になってしまった等の場合、操作者は、探索開始面の位置、及び設定方法を、手動で変更してもよい。
【００７１】
また、操作者は、表示機器４０に表示される画像を確認した後、必要に応じてステップＳ２４で設定された探索軸の設定方法を変更してもよい。例えば、表示機器４０に表示される画像において、操作者が表示したい領域が、本実施形態に係る処理の適用により非表示になってしまった等の場合、操作者は、探索軸の設定方法を、手動で変更してもよい
なお、描画処理機能１６６における画像処理回路１６の処理は、以上に説明されたものに限定されない。例えば、画像処理回路１６は、胎児の顔を３次元的又は４次元的に観察可能な２次元画像上に、ステップＳ２３で作成した探索開始面に該当する領域を表示させてもよい。また、画像処理回路１６は、この２次元画像上に、ステップＳ２５で算出した描画開始面に該当する領域を表示させてもよい。
【００７２】
また、画像処理回路１６は、例えば、胎児の顔を３次元的又は４次元的に観察可能な２次元画像に加え、レンダリングにより表示される領域を識別可能に表示した断層画像を表示させてよい。例えば、画像処理回路１６は、４次元画像表示されている領域の表面を、表示されていない領域と識別可能に着色した、断層画像を表示してもよい。図１５は、描画される領域の表面を、描画されない領域と識別可能に着色した断層画像の例を表す図である。図１５では、断層画像上において、腕領域を除く胎児領域が４次元画像表示されている領域として、その表面が、例えば、赤色の太線で表されている。
【００７３】
また、画像処理回路１６は、４次元画像表示されている領域の範囲を、表示されていない領域と識別可能に着色した、断層画像を表示してもよい。図１６は、描画される領域の範囲を、描画されない領域と識別可能に着色した断層画像の例を表す図である。図１６では、断層画像上において、腕領域を除く胎児領域が４次元画像表示されている領域として、その範囲が、例えば、赤色で表されている。
【００７４】
また、表示機器４０に表示される画像は、本実施形態に係る処理により得られるレンダリング画像に限定されない。例えば、画像処理回路１６は、本実施形態に係る処理により得られる第１レンダリング画像と、一般的なレンダリング処理により得られる第２レンダリング画像とに基づいて胎児を表示しても構わない。なお、本実施形態において一般的なレンダリング処理とは、例えば、ステップＳ２２で設定された視点から、同じくステップＳ２２で設定された視線方向へ向けて実施するレンダリング処理を表すものとする。具体的には、画像処理回路１６は、第１レンダリング画像と、第２レンダリング画像との差分画像を取得する。画像処理回路１６は、得られた差分画像の透明度、色、又はその両方等を変更した上で、第１レンダリング画像に合成表示してもよい。これにより、例えば、図１７で示されるように、第１レンダリング画像上で、本実施形態で非表示となった腕等の領域が半透明で重畳表示されることになる。
【００７５】
また、描画処理機能１６６において画像処理回路１６は、必ずしも、描画開始面から視線方向に沿ってボリュームデータのレンダリング処理を実施する必要はない。例えば、サーフェスレンダリングによるレンダリング画像を表示機器４０に表示させる場合、画像処理回路１６は、ステップＳ２５で算出した描画開始面を示すポリゴンを、表示対象としてもよい。
【００７６】
以上のように、第１の実施形態では、画像処理回路１６は、ボリュームデータ等の超音波画像データに対して視点、及び視線方向を設定する。画像処理回路１６は、設定した視点から見て、超音波画像データにおける非表示領域よりも遠方の、所定の位置に探索開始面を設定する。画像処理回路１６は、設定した探索開始面から視点へ近づく方向へ、所定の要件を満たす領域を探索し、探索結果に基づいて描画開始面を算出する。そして、画像処理回路１６は、算出した描画開始面から視線方向へ向けて描画処理を実施することで、表示画像データを作成するようにしている。
【００７７】
これにより、観察対象である胎児の顔と、腕、へその緒、及び胎盤等の、観察に不要な物体との間に、レンダリング処理を開始させる面である描画開始面を効率的に設定することが可能となる。したがって、胎児の顔の前に邪魔な腕やへその緒等があっても、観察対象となる胎児の顔部分を高速に表示できる。本手法では、４次元画像表示下において領域抽出等の重い処理を実施する必要がないため、リアルタイム性に優れている。また、胎児表面近傍からレンダリングを開始するため、羊水中のごみやノイズ等の影響を軽減できる。また、ＣＰＵ負荷を他の重い処理に回すことができるため、ＣＰＵ処理の効率的な運用が期待できる。
【００７８】
なお、再構成領域の設定、探索開始面の設定、及び描画開始面の算出では、パターン認識等の領域抽出処理を利用するケースについて記述しているが、本手法適用開始時に一度だけ実行すればよいため、リアルタイム性は損なわない。
【００７９】
また、第１の実施形態では、画像処理回路１６は、断層画像に対してパターン認識等の既存の領域抽出アルゴリズムを実行し、生体内の所定の構造を表す領域を抽出するケースについて記述している。ここで、画像処理回路１６は、抽出した領域内の点を通る線に対応する断面を探索開始面として設定するようにしている。これにより、探索開始面が自動的に設定されることになる。
【００８０】
また、第１の実施形態では、画像処理回路１６は、超音波画像データにおいて再構成領域を設定し、再構成領域内で探索開始面を設定するようにしている。これにより、描画開始面の探索処理、及び描画開始面からのレンダリング処理での処理負担を軽減することが可能となる。
【００８１】
また、第１の実施形態では、画像処理回路１６は、視点から見て、超音波画像データにおける観察に不要な領域よりも遠方であり、設定された再構成領域内の、当該再構成領域の境界のうち視点から見て遠方の境界を越えない位置に探索開始面を設定するようにしている。これにより、探索開始面を設定可能な範囲を、観察に不要な領域の表面から観察対象となる領域の（視点から遠い方の）境界との間に、広範囲に取れるようになる。
【００８２】
また、第１の実施形態では、画像処理回路１６は、探索開始面を複数設定してもよい。このとき、画像処理回路１６は、設定されている視点に近い探索開始面から、所定の要件を満たす領域の探索を開始する。これにより、表示領域を任意に絞り込むことが可能となる。
【００８３】
また、第１の実施形態では、画像処理回路１６は、異なる時相で設定された探索開始面を利用して本時相における探索開始面を設定してもよい。これにより、探索開始面を設定する処理にかかる時間を短縮することが可能となる。
【００８４】
また、第１の実施形態では、画像処理回路１６は、異なる時相で算出された描画開始面を、本時相における描画開始面として利用してもよい。これにより、描画開始面を設定する処理にかかる時間を短縮することが可能となる。
【００８５】
また、第１の実施形態では、画像処理回路１６は、所定のコントラストで、表示領域の不透明度を低く、非表示領域の不透明度を高く設定した第１オパシティカーブを利用して描画開始面を算出する。そして、画像処理回路１６は、第１オパシティカーブよりも高コントラストで、表示領域の不透明度を高く、非表示領域の不透明度を低く設定した第２オパシティカーブを利用して描画処理を実施してもよい。これにより、描画開始面が、表示領域内部に設定されるのを抑制し、非表示領域内部に設定されやすくなる。
【００８６】
また、第１の実施形態では、画像処理回路１６は、描画処理によって作成した表示画像データに、探索開始面に該当する領域を合成させるようにしてもよい。これにより、操作者は、４次元画像を確認する際に、４次元画像を作成する際に利用された探索開始面を確認することが可能となる。
【００８７】
また、第１の実施形態では、画像処理回路１６は、描画処理によって作成した表示画像データに、描画開始面に該当する領域を合成させるようにしてもよい。これにより、操作者は、４次元画像を確認する際に、４次元画像を作成する際に利用された描画開始面を確認することが可能となる。
【００８８】
また、第１の実施形態では、画像処理回路１６は、描画処理によって作成した表示画像データに、この表示画像データと、視点から視線方向へ向けて描画処理を実施することで作成される表示画像データとの差分画像を合成させるようにしてもよい。これにより、操作者は、４次元画像を確認する際に、本願実施形態に係る処理により除外された領域を確認することが可能となる。
【００８９】
また、第１の実施形態では、画像処理回路１６は、サーフェスレンダリング処理を実施する際には、描画開始面を示すポリゴンを表示対象とするようにしてもよい。これにより、描画処理にかかる時間を短縮することが可能となる。
【００９０】
また、第１の実施形態では、画像処理回路１６は、描画処理の実施により表示対象となった領域を、断層画像上で識別可能に表示してもよい。これにより、操作者は、４次元画像を確認する際に、表示されている４次元画像が断層画像上のいずれの領域から作成されているかを確認することが可能となる。
【００９１】
なお、第１の実施形態では、超音波診断装置１の画像処理回路１６が、再構成領域設定機能１６１、視点・視線方向設定機能１６２、探索開始面設定機能１６３、探索軸設定機能１６４、描画開始面設定機能１６５、及び描画処理機能１６６を有する場合を例に説明した。しかしながら、これに限定されない。例えば、画像処理回路１６は、内部記憶回路１８に記憶されている画像処理プログラムを実行することで、編集機能を有していても構わない。
【００９２】
編集機能は、例えば、本実施形態に係る処理であり、描画開始面を利用したレンダリング処理を適用させる範囲を編集する機能であり、編集部の一例である。具体的には、編集機能において画像処理回路１６は、本実施形態に係る処理を適用する範囲と、適用しない範囲とを分けるための編集用ＲＯＩを設定する。例えば、本実施形態に係る処理の適用により、操作者が表示したい領域が非表示になってしまったとする。このとき、操作者は、入力インタフェース１１１を介し、例えば、本実施形態に係る処理を適用させない領域を表す編集用ＲＯＩを断層画像上で設定する。画像処理回路１６は、編集用ＲＯＩが設定されると、編集用ＲＯＩが設定された領域については、一般的なレンダリング処理により得られる第２レンダリング画像を表示し、編集用ＲＯＩが設定されていない領域については、本実施形態に係る処理により得られる第１レンダリング画像を表示する。図１８は、断層画像上で設定される編集用ＲＯＩの例を表す図である。
【００９３】
なお、編集用ＲＯＩは、本実施形態に係る処理を適用させる領域を表すようにしても構わない。このとき、画像処理回路１６は、編集用ＲＯＩが設定されると、編集用ＲＯＩが設定された領域については、本実施形態に係る処理により得られる第１レンダリング画像を表示し、編集用ＲＯＩが設定されていない領域については、一般的なレンダリング処理により得られる第２レンダリング画像を表示する。
【００９４】
このように、編集機能により、本実施形態に係る処理を適用する範囲を断層画像上から編集可能とすることで、操作者は、４次元画像表示において除外表示されている領域を切り換えることが可能となる。
【００９５】
また、画像処理回路１６は、内部記憶回路１８に記憶されている画像処理プログラムを実行することで、判定機能を有していても構わない。判定機能は、例えば、描画開始面又は表示領域が適正であるか否かを判定する機能であり、判定部の一例である。
【００９６】
具体的には、判定機能において画像処理回路１６は、描画開始面及び表示領域の適正度を判定するための評価関数を定義している。画像処理回路１６は、ステップＳ２５で描画開始面を算出すると、算出した描画開始面、又はこの描画開始面に基づく表示領域の適性度を、評価関数により算出される評価値に基づいて判定する。例えば、顔領域の前に腕領域が存在した場合、算出された描画開始面及び表示領域は、顔領域と腕領域との境界で空間的に不連続となる。画像処理回路１６は、空間的に連続する描画開始面及び表示領域中のボクセルの個数を評価値として、描画開始面及び表示領域の適正度を判定する。この場合、評価値が小さいほど、描画開始面及び表示領域が適正と判定できる。画像処理回路１６は、例えば、描画開始面、又は表示領域が適正でない等、評価関数の評価値による適性度の判定結果に応じ、ステップＳ２３で設定した探索開始面の位置、及び／又は設定方法を自動的に再設定する。
【００９７】
また、画像処理回路１６は、評価関数の評価値による適性度の判定結果に応じ、ステップＳ２４で設定した探索軸の設定方法を自動的に再設定する。
【００９８】
このように、判定機能により、描画開始面又は表示領域が適正であるか否かを判定し、適正でない場合、探索開始面及び探索軸の少なくとも一方を再設定することで、画像処理回路１６は、確認に適した画像を作成するのに好適な探索開始面及び探索軸を自動的に設定することが可能となる。
【００９９】
また、第１の実施形態では、図２のステップＳ２１〜ステップＳ２６において、画像処理回路１６が、再構成領域設定機能１６１を実行し、視点・視線方向設定機能１６２を実行し、探索開始面設定機能１６３を実行し、探索軸設定機能１６４を実行し、描画開始面設定機能１６５を実行し、その後、描画処理機能１６６を実行する場合を例に説明した。しかしながら、画像処理回路１６の処理手順は、これに限定されない。各機能は必ずしも番号順に実行される必要はなく、適宜実行順序を変更してもよい。例えば、探索軸の設定の後に探索開始面を設定してもよい。
【０１００】
また、第１の実施形態で記載の、画像処理回路１６による描画開始面の探索では、胎児領域内に存在し得る脳組織等の領域が影響を及ぼすおそれがある。第１の実施形態に係る手法は、胎児領域内に脳組織等の領域が存在している場合、例えば、以下のように活用可能である。
【０１０１】
図１９は、図１に示される画像処理回路１６が観察に不要な領域を除去したレンダリング画像データを作成する際の動作のその他の例を表すフローチャートである。  
画像処理回路１６は、観察に不要な領域を削除した４次元画像表示を実行する旨の指示が操作者から入力されると、画像処理プログラムを実行する。画像処理プログラムが実行されると、例えば、まず、再構成領域設定機能１６１が実現される。再構成領域設定機能１６１において画像処理回路１６は、例えば、入力インタフェース１１１を介して指定されるＲＯＩ領域に基づき、再構成領域を設定する（ステップＳ２１）。
【０１０２】
再構成領域を設定すると画像処理回路１６は、領域抽出部の一例である領域抽出機能を実行する。領域抽出機能において画像処理回路１６は、例えば、パターン認識等の既存の領域抽出アルゴリズムを用いて、胎児領域と羊水領域との境界を抽出する（ステップＳ１９１）。胎児領域と羊水領域との境界を抽出すると画像処理回路１６は、例えば、ステップＳ２２〜ステップＳ２４により、視点及び視線方向、探索開始面、並びに探索軸を設定する。ここで設定される探索開始面を、例えば、時相ｔ＝１における探索開始面Ｓ１（１）と称する。
【０１０３】
視点及び視線方向、探索開始面、並びに探索軸を設定すると、画像処理回路１６は、描画開始面設定機能１６５を実行する。描画開始面設定機能１６５を実行すると画像処理回路１６は、探索開始面Ｓ１（１）からの探索軸に沿った探索により得られる胎児領域と羊水領域との境界領域に基づき描画開始面を算出する（ステップＳ１９２）。このとき、画像処理回路１６は、ステップＳ１９１で抽出した胎児領域と羊水領域との境界領域を、探索開始面からの探索軸に沿った探索により取得する。領域抽出により得られた境界面に基づいて算出される描画開始面を、例えば、時相ｔ＝１における描画開始面Ｓ２（１）と称する。
【０１０４】
図２０は、探索開始面Ｓ１（１）からの探索軸Ａ１に沿った探索により得られる境界面に基づいて算出される描画開始面Ｓ２（１）の例を表す図である。
【０１０５】
描画開始面Ｓ２（１）を算出すると、画像処理回路１６は、描画処理機能１６６により、描画開始面Ｓ２（１）から視線方向に沿ってボリュームデータのレンダリング処理を実施することで、レンダリング画像データを作成する（ステップＳ２６）。
【０１０６】
描画開始面Ｓ２（１）を算出してから、例えば、所定の期間が経過すると、画像処理回路１６は、探索開始面設定機能１６３を実行する。探索開始面設定機能１６３を実行すると画像処理回路１６は、描画開始面Ｓ２（１）を利用して探索開始面を設定する（ステップＳ１９３）。具体的には、画像処理回路１６は、描画開始面Ｓ２（１）上の各ボクセルを探索軸方向に沿って探索開始面Ｓ１（１）方向へ所定距離だけ移動させたボクセルの集合を新たな探索開始面として設定する。これにより、胎児領域内に存在する脳組織等の領域を越えた、胎児の顔表面近傍の領域に探索開始面を設定することが可能となる。ここで設定される探索開始面を、例えば、時相ｔ＝２における探索開始面Ｓ１（２）と称する。図２１は、描画開始面Ｓ２（１）に基づいて設定される探索開始面Ｓ１（２）の例を表す図である。
【０１０７】
探索開始面Ｓ１（２）を設定すると、画像処理回路１６は、描画開始面設定機能１６５を実行する。描画開始面設定機能１６５を実行すると画像処理回路１６は、探索開始面Ｓ１（２）からの探索軸に沿った探索により得られる胎児領域と羊水領域との境界領域に基づき描画開始面を算出する（ステップＳ１９４）。ステップＳ１９４における描画開始面は、例えば、ステップＳ２５と同様の処理により算出される。探索開始面Ｓ１（２）からの探索に基づいて算出される描画開始面を、例えば、時相ｔ＝２における描画開始面Ｓ２（２）と称する。図２２は、探索開始面Ｓ１（２）からの探索に基づいて算出される描画開始面Ｓ２（２）の例を表す図である。
【０１０８】
描画開始面Ｓ２（２）を算出すると、画像処理回路１６は、描画処理機能１６６により、描画開始面Ｓ２（２）から視線方向に沿ってボリュームデータのレンダリング処理を実施することで、レンダリング画像データを作成する（ステップＳ１９５）。
【０１０９】
なお、続く時相ｔ＝３，４，…において、画像処理回路１６は、必ずしも描画開始面を算出する必要はない。例えば、画像処理回路１６は、ｔ＝２で算出した描画開始面Ｓ２（２）を時相ｔ＝３，４，…においても利用してもよい。描画開始面を算出する時相は、任意であってもよい。また、描画開始面は、所定の周期で再計算されても構わない。
【０１１０】
また、画像処理回路１６は、探索開始面Ｓ１（２）を設定すると、胎児に大きな動きがない限り、探索開始面Ｓ１（２）を用いて描画開始面を算出する。一方、例えば、胎児が所定の大きさ以上動いた場合、画像処理回路１６は、図１９のステップＳ１９１からの処理を再度実行し、探索開始面を設定する。
【０１１１】
このように、画像処理回路１６は、胎児の顔表面近傍の領域に探索開始面を設定し、この探索開始面に基づいて描画開始面を算出する。これにより、胎児領域内に脳組織等が存在する場合であっても、観察対象である胎児の顔と、観察に不要な物体との間に、レンダリング処理を開始させる面である描画開始面を効率的に設定することが可能となる。したがって、胎児領域内に脳組織等が存在する場合であっても、胎児の顔の前に邪魔な腕やへその緒等があっても、観察対象となる胎児の顔部分を高速に表示できる。
なお、探索開始面の設定では、パターン認識等の領域抽出処理を利用するケースについて記述しているが、領域抽出処理は、例えば、本手法適用開始時に一度だけ実行すればよいため、リアルタイム性は損なわない。
【０１１２】
また、第１の実施形態では、超音波診断装置１が４次元画像表示を実施する際に、本実施形態に係る処理を利用する場合を例に説明した。しかしながら、本実施形態に係る処理が利用されるのは、４次元画像表示を実施する際に限定されるものではない。例えば、２次元画像や３次元画像に対して本手法を適用してもよい。
【０１１３】
また、第１の実施形態では、胎児の顔の表示の例を示したが、胎児の顔以外にも本手法は活用できる。例えば、胎児は足を畳んだ姿勢でいることが多いため、足の間が見えにくく性別が判断しにくいことがある。そこで、本手法を胎児の下半身部位に適用することで、性別判断の妨げになる足の一部を除去できるため、胎児の性別診断の効率化にも利用できる。
【０１１４】
また、胎児以外にも本手法は活用できる。例えば、血管及び心臓等、内腔形状を持ち、内部に血液領域を含む循環器系臓器についても本手法は活用可能である。
【０１１５】
また、第１の実施形態では、医用画像診断装置の一例として超音波診断装置１が、本実施形態に係る処理を利用する場合を説明した。しかしながら、本実施形態に係る処理を利用する医用画像診断装置は、超音波診断装置１に限定されない。本実施形態に係る処理は、任意の医用画像診断装置、例えば、Ｘ線診断装置、Ｘ線ＣＴ（Computed Tomography）装置、ＭＲＩ（Magnetic Resonance Imaging）装置、ＳＰＥＣＴ（Single Photon Emission Computed Tomography）装置、ＰＥＴ（Positron Emission computed Tomography）装置、ＳＰＥＣＴ装置とＸ線ＣＴ装置とが一体化されたＳＰＥＣＴ−ＣＴ装置、ＰＥＴ装置とＸ線ＣＴ装置とが一体化されたＰＥＴ−ＣＴ装置、ＰＥＴ装置とＭＲＩ装置とが一体化されたＰＥＴ−ＭＲＩ装置、又はこれらの装置群等で利用されても構わない。
【０１１６】
以下に、例えば、本実施形態に係る処理がＸ線診断装置で利用される場合の実施例を説明する。
【０１１７】
（Ｘ線診断装置の実施例）  
超音波診断装置１についての実施例では、本実施形態に係る処理を利用し、羊水領域に囲まれた胎児領域を４次元画像表示する場合を例に説明した。以下の実施例では、本実施形態に係る処理を利用し、胃及び大腸等、内腔形状を持つ対象を表示する場合を説明する。このとき、上記実施例における羊水領域の代わりに、胃内部の空気領域、大腸内部のガス領域、又は、胃液及び消化物等の内容物領域を規定する。
【０１１８】
Ｘ線診断装置に設けられる画像処理回路１６は、内部記憶回路に記憶されている画像処理プログラムを実行することで、例えば、再構成領域設定機能１６１、視点・視線方向設定機能１６２、探索開始面設定機能１６３、探索軸設定機能１６４、描画開始面設定機能１６５、及び描画処理機能１６６を実行する。
【０１１９】
再構成領域設定機能１６１において画像処理回路１６は、表示機器４０に表示される、胃を含む医用画像に対し、操作者からのＲＯＩ領域の指定を受け付ける。画像処理回路１６は、指定されたＲＯＩ領域に基づき、ボリュームデータにおける再構成領域を設定する。図２３は、胃を含む医用画像に対して設定される再構成領域の例を表す図である。
【０１２０】
視点・視線方向設定機能１６２において画像処理回路１６は、例えば、３次元画像又は４次元画像を観察する際の視点及び視線方向の指定を受け付ける。画像処理回路１６は、指定された視点及び視線方向を設定する。探索開始面設定機能１６３において画像処理回路１６は、例えば、設定された視点側から見て、非表示領域である空気領域より遠い位置に探索開始面を設定する。
【０１２１】
探索軸設定機能１６４において画像処理回路１６は、例えば、視線方向、及び探索開始面等に基づいて探索軸を設定する。描画開始面設定機能１６５において画像処理回路１６は、例えば、探索開始面からの探索軸に沿った探索により得られた、胃壁領域と空気領域との境界領域に基づいて描画開始面を算出する。描画処理機能１６６において画像処理回路１６は、例えば、描画開始面から視線方向へ沿ってボリュームデータのレンダリング処理を実施することで、胃の内壁領域を表すレンダリング画像データを作成する。
【０１２２】
図２４及び図２５は、図２３で設定した再構成領域内における表示領域を模式的に表す図である。図２４は、胃の大彎部側に視点を設定し、大彎部側から小彎部側へ視線方向を設定した場合の表示領域を表している。図２４では、再構成領域の幽門側の境界の断面を利用するように探索開始面が設定され、視線方向と平行かつ逆方向の探索軸が設定されている。そして、胃壁領域と空気領域との境界領域に基づいて描画開始面が算出され、描画開始面から視線方向へ沿ってボリュームデータのレンダリング処理が実施されることで、前庭部、小彎部、及び食道等の内壁領域を表すレンダリング画像データが作成されている。
【０１２３】
図２５は、胃の食道部側に視点を設定し、食道部側から前庭部側へ視線方向を設定した場合の表示領域を表している。図２５では、再構成領域の前庭側の境界の断面を利用するように探索開始面が設定され、視線方向と平行かつ逆方向に探索軸が設定されている。そして、胃壁領域と空気領域との境界領域に基づいて描画開始面が算出され、描画開始面から視線方向へ沿ってボリュームデータのレンダリング処理が実施されることで、前庭部、及び胃体部の大彎部側の内壁領域を表すレンダリング画像データが作成されている。
【０１２４】
なお、本実施例では、大腸及び胃等、内腔形状を持ち、内部に空気領域、ガス領域、又は内容物領域を含む消化器系臓器を対象に説明したが、本実施例は消化器系臓器のみに限定するものではない。例えば、内腔形状を持つ組織として血管及び心臓を対象にし、空気領域、ガス領域、又は内容物領域の代わりに血液領域を用いても本実施例は適用可能である。もちろん、既存の領域抽出アルゴリズムを用いて抽出した任意の領域を、空気領域、ガス領域、又は内容物領域の代わりに用いてもよい。
【０１２５】
（第２の実施形態）  
第１の実施形態では、超音波診断装置１等の医用画像診断装置について説明した。第２の実施形態では、病院情報システムに設けられる医用画像処理装置２について説明する。
【０１２６】
図２６は、第２の実施形態に係る医用画像処理装置２を含む医用情報システムの例を表す図である。図２６に示される医用情報システムは、医用画像処理装置２、医用画像診断装置３、及び画像保管装置４を備える。医用画像処理装置２、医用画像診断装置３、及び画像保管装置４は、例えば、病院内に設置された院内ＬＡＮ（Local Area Network）により、直接的、又は間接的に相互に通信可能に接続されている。例えば、画像保管装置４がＰＡＣＳを構成する場合、医用画像処理装置２、医用画像診断装置３、及び画像保管装置４は、ＤＩＣＯＭ規格に則って、例えば、医用画像データを相互に送受信する。
【０１２７】
医用画像診断装置３は、被検体を撮影することで、医用画像データを発生する装置である。医用画像診断装置３は、生成した医用画像データを、医用画像処理装置２及び画像保管装置４へ送信する。
【０１２８】
画像保管装置４は、医用画像データを保管するデータベースである。画像保管装置４は、例えば、医用画像診断装置３で発生された医用画像データを、内部に設けられている記憶回路に記憶する。
【０１２９】
医用画像処理装置２は、医用画像診断装置３で発生された医用画像データ、又は画像保管装置４から読み出された医用画像データに対し、画像処理を施す装置である。図２６に示される医用画像処理装置２は、メモリ２１、出力インタフェース２２、入力インタフェース２３、通信インタフェース２４、画像処理回路２５、及び制御回路２６を有する。
【０１３０】
メモリ２１は、例えば、ＲＡＭ（Random Access Memory）、フラッシュメモリ等の半導体メモリ素子、ハードディスク、並びに、光ディスク等により実現される。メモリ２１は、例えば、画像処理回路２５、及び制御回路２６がその機能を実現するためのプログラム等を記憶している。
【０１３１】
出力インタフェース２２は、制御回路２６に接続され、制御回路２６から供給される信号を出力する。出力インタフェース２２は、例えば、ディスプレイにより実現される。ディスプレイは、例えば、医用画像データに基づく医用画像、及びユーザからの各種操作を受け付けるためのＧＵＩ等を、制御回路２６からの指示に基づいて表示する。
【０１３２】
入力インタフェース２３は、ユーザからの各種の入力操作を受け付け、受け付けた入力操作を電気信号に変換して制御回路２６へ出力する。
【０１３３】
通信インタフェース２４は、例えば、病院内ネットワークと接続する。通信インタフェース２４は、例えば、病院内ネットワークを介して医用画像診断装置３、及び画像保管装置４から、医用画像データ等を受信する。
【０１３４】
画像処理回路２５は、２次元画像データ又はボリュームデータ等の医用画像データに対し、所定の画像処理を施すプロセッサである。具体的には、例えば、画像処理回路２５は、メモリ２１に記憶されている画像処理プログラムを実行することで、当該プログラムに対応する機能を実現する。画像処理回路２５は、例えば、再構成領域設定機能１６１、視点・視線方向設定機能１６２、探索開始面設定機能１６３、探索軸設定機能１６４、描画開始面設定機能１６５、及び描画処理機能１６６を有する。
【０１３５】
これらの機能を有することにより、画像処理回路２５は、ボリュームデータ等の超音波画像データに対して視点、及び視線方向を設定する。画像処理回路２５は、設定した視点に対し、超音波画像データにおける観察対象の観察の妨げとなる観察に不要な領域よりも遠い位置に探索開始面を設定する。画像処理回路２５は、設定した探索開始面から視点へ近づく方向へ探索軸を設定する。画像処理回路２５は、設定した探索軸に沿って、所定の要件を満たす領域を探索開始面から探索し、探索結果に基づいて描画開始面を算出する。そして、画像処理回路２５は、算出した描画開始面から視線方向へ向けて描画処理を実施することで、表示画像データを作成する。これにより、観察対象と、観察に不要な物体との間に、レンダリング処理を開始させる面である描画開始面を効率的に設定することが可能となる。したがって、観察の妨げとなる領域が観察したい対象の前に存在する場合でも、該当領域を除去した上で観察したい対象を表示することができる。
【０１３６】
例えば、胃の内壁を観察したい場合、観察したい内壁の反対側に存在する壁が観察の妨げとなるが、本手法では、観察の妨げとなる内壁の一部を非表示にした上で、観察対象となる内壁を表示することができる。
【０１３７】
以上説明した少なくとも一つの実施形態によれば、医用画像診断装置、及び医用画像処理装置は、観察対象の手前に観察に不要な物体が存在する場合であっても、重い計算処理をせずに観察対象だけを４次元画像表示できる。
【０１３８】
実施形態の説明において用いた「プロセッサ」という文言は、例えば、ＣＰＵ（central processing unit）、ＧＰＵ(Graphics Processing Unit)、或いは、特定用途向け集積回路（Application Specific Integrated Circuit：ＡＳＩＣ））、プログラマブル論理デバイス（例えば、単純プログラマブル論理デバイス（Simple Programmable Logic Device：ＳＰＬＤ）、複合プログラマブル論理デバイス（Complex Programmable Logic Device：ＣＰＬＤ）、及びフィールドプログラマブルゲートアレイ（Field Programmable Gate Array：ＦＰＧＡ））等の回路を意味する。プロセッサは記憶回路に保存されたプログラムを読み出し実行することで機能を実現する。なお、記憶回路にプログラムを保存する代わりに、プロセッサの回路内にプログラムを直接組み込むよう構成しても構わない。この場合、プロセッサは回路内に組み込まれたプログラムを読み出し実行することで機能を実現する。なお、上記各実施形態の各プロセッサは、プロセッサごとに単一の回路として構成される場合に限らず、複数の独立した回路を組み合わせて１つのプロセッサとして構成し、その機能を実現するようにしてもよい。さらに、上記各実施形態における複数の構成要素を１つのプロセッサへ統合してその機能を実現するようにしてもよい。
【０１３９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み換えを行うことができる。これら実施形態やその変形は、発明の範囲や要旨に含まれると同様に、特許請求の範囲に記載された発明とその均等の範囲に含まれるものである。
【符号の説明】
【０１４０】
１…超音波診断装置
１０…装置本体
１１…超音波送信回路
１２…超音波受信回路
１３…Ｂモード処理回路
１４…ドプラ処理回路
１５…３次元データ発生回路
１６…画像処理回路
１６１…再構成領域設定機能
１６２…視点・視線方向設定機能
１６３…探索開始面設定機能
１６４…探索軸設定機能
１６５…描画開始面設定機能
１６６…描画処理機能
１７…表示処理回路
１８…内部記憶回路
１９…画像メモリ
１１１…入力インタフェース
１１２…通信インタフェース
１１３…制御回路
２０…超音波プローブ
３０…外部装置
４０…表示機器
５０…入力装置
１００…ネットワーク
２…医用画像処理装置
２１…メモリ
２２…出力インタフェース
２３…入力インタフェース
２４…通信インタフェース
２５…画像処理回路
２６…制御回路
３…医用画像診断装置
４…画像保管装置
【図１】
2019141574.tif 000003
【図２】
2019141574.tif 000004
【図３】
2019141574.tif 000005
【図４】
2019141574.tif 000006
【図５】
2019141574.tif 000007
【図６】
2019141574.tif 000008
【図７】
2019141574.tif 000009
【図８】
2019141574.tif 000010
【図９】
2019141574.tif 000011
【図１０】
2019141574.tif 000012
【図１１】
2019141574.tif 000013
【図１２】
2019141574.tif 000014
【図１３】
2019141574.tif 000015
【図１４】
2019141574.tif 000016
【図１５】
2019141574.tif 000017
【図１６】
2019141574.tif 000018
【図１７】
2019141574.tif 000019
【図１８】
2019141574.tif 000020
【図１９】
2019141574.tif 000021
【図２０】
2019141574.tif 000022
【図２１】
2019141574.tif 000023
【図２２】
2019141574.tif 000024
【図２３】
2019141574.tif 000025
【図２４】
2019141574.tif 000026
【図２５】
2019141574.tif 000027
【図２６】
2019141574.tif 000028